(57)【要約】【課題】伝送端末の表示画面の取り込みを制限できる伝送システムを提供すること。【解決手段】画像を表示する情報提供装置と通信する通信手段２１と、撮影手段１４により作成された第１の画像データ、他の伝送端末から送信された第２の画像データ、又は、前記情報提供装置から受信した表示データの少なくとも１つを表示画面１３０に表示する表示制御手段１７と、通信ネットワークに接続された他の伝送端末との間で、画像データ及び表示データを含む所定のデータの送受信を行うネットワーク通信手段１１と、表示画面に表示されている画面情報を取り込む画面情報取り込み手段１８と、他の伝送端末に画面情報の記録の許否を問い合わせる問い合わせ手段２５と、他の伝送端末からの応答に応じて、画面情報を編集する画面編集手段２４と、画面編集手段が応答に応じて編集した画面情報を記憶する画面情報記憶手段２３１とを有することを特徴とする。【選択図】図１
2014175956.tif 000002
【特許請求の範囲】
【請求項１】
所定の画像を表示する情報提供装置と通信する通信手段と、
撮影手段により作成された第１の画像データ、他の伝送端末から送信された第２の画像データ、又は、前記情報提供装置から受信した表示データの少なくとも１つを表示画面に表示する表示制御手段と、
通信ネットワークに接続された前記他の伝送端末との間で、前記第１の画像データ、前記第２の画像データ及び前記表示データの送受信を行うネットワーク通信手段と、
前記表示画面に表示されている画面情報を取り込む画面情報取り込み手段と、
前記他の伝送端末に前記画面情報の記録の許否を問い合わせ、問い合わせてから所定時間内に応答がない前記他の伝送端末は、前記画面情報の記録を拒否したと判定する問い合わせ手段と、
前記他の伝送端末からの応答に応じて、前記画面情報を編集する画面編集手段と、
前記画面編集手段が応答に応じて編集した前記画面情報を記憶する画面情報記憶手段と、を有することを特徴とする伝送端末。
【請求項２】
前記画面情報取り込み手段は、前記情報提供装置からの要求により前記表示画面に表示されている画面情報を取り込む、ことを特徴とする請求項１記載の伝送端末。
【請求項３】
前記表示制御手段は、前記画面情報において前記第１の画像データ、前記第２の画像データ、又は、前記表示データが配置されている領域と、前記他の伝送端末の識別情報とを対応づけて保持しており、
前記画面編集手段は、前記画面情報の記録を拒否した前記他の伝送端末から受信した前記第２の画像データが配置されている前記画面情報の領域を目視困難に編集する、
ことを特徴とする請求項１又は２記載の伝送端末。
【請求項４】
前記画面情報取り込み手段は、前記情報提供装置から前記画面情報の取り込みの要求を取得した直後に、前記画面情報を取り込み一時保存しておき、
前記画面編集手段が前記他の伝送端末からの応答に応じて編集した後に、前記画面情報記憶手段に記憶する、
ことを特徴とする請求項３記載の伝送端末。
【請求項５】
前記画面情報記憶手段に記憶された前記画面情報を伝送端末の識別情報と共に前記通信ネットワークに接続された記憶装置に送信する画面情報送信手段と、
前記識別情報の入力を受け付けて、該識別情報の伝送端末が前記記憶装置に送信した前記画面情報の閲覧を要求し、前記記憶装置から受信した前記画面情報を前記表示画面に表示する閲覧手段と、
を有することを特徴とする請求項１〜４いずれか１項記載の伝送端末。
【請求項６】
前記画面情報送信手段は、前記画面情報を、該画面情報が伝送端末に記憶された日時情報と共に前記記憶装置に送信し、
前記閲覧手段は、前記日時情報の入力を受け付けて、該日時情報に記憶された前記画面情報の閲覧を要求し、前記記憶装置から受信した前記画面情報を前記表示画面に表示する、ことを特徴とする請求項５記載の伝送端末。
【請求項７】
前記表示制御手段は、所定の操作を受け付けて、前記画面情報における前記第１の画像データ、前記第２の画像データ、又は、前記表示データのレイアウトを変更し、
前記閲覧手段は、前記記憶装置により解析された、前記識別情報の伝送端末が前記記憶装置に送信した前記画面情報のレイアウトの統計情報を前記表示画面に表示する、
ことを特徴とする請求項５又は６記載の伝送端末。
【請求項８】
所定の画像を表示する情報提供装置と通信する通信手段と、
撮影手段により作成された第１の画像データ、他の伝送端末から送信された第２の画像データ、又は、前記情報提供装置から受信した表示データの少なくとも１つを表示画面に表示する表示制御手段と、
通信ネットワークに接続された前記他の伝送端末との間で、前記第１の画像データ、前記第２の画像データ及び前記表示データの送受信を行うネットワーク通信手段と、
前記表示画面に表示されている画面情報を取り込む画面情報取り込み手段と、
前記他の伝送端末に前記画面情報の記録の許否を問い合わせ、問い合わせてから所定時間内に応答がない前記他の伝送端末は、前記画面情報の記録を拒否したと判定する問い合わせ手段と、
前記他の伝送端末からの応答に応じて、前記画面情報を編集する画面編集手段と、
前記画面編集手段が応答に応じて編集した前記画面情報を記憶する画面情報記憶手段と、
前記表示データを前記伝送端末に送信する表示データ送信手段と、
を有することを特徴とする伝送システム。
【請求項９】
所定の画像を表示する情報提供装置と通信する通信手段と、
撮影手段により作成された第１の画像データ、他の伝送端末から送信された第２の画像データ、又は、前記情報提供装置から受信した表示データの少なくとも１つを表示画面に表示する表示制御手段と、
通信ネットワークに接続された前記他の伝送端末との間で、前記第１の画像データ、前記第２の画像データ及び前記表示データの送受信を行うネットワーク通信手段と、
前記表示画面に表示されている画面情報を取り込む画面情報取り込み手段と、
前記他の伝送端末に前記画面情報の記録の許否を問い合わせ、問い合わせてから所定時間内に応答がない前記他の伝送端末は、前記画面情報の記録を拒否したと判定する問い合わせ手段と、
前記他の伝送端末からの応答に応じて、前記画面情報を編集する画面編集手段と、
前記画面編集手段が応答に応じて編集した前記画面情報を記憶する画面情報記憶手段と、
前記表示データを前記伝送端末に送信するコンピュータにより実行可能なプログラムと、
を有することを特徴とする伝送システム。
【請求項１０】
所定の画像を表示する情報提供装置と通信する通信ステップと、
撮影手段により作成された第１の画像データ、他の伝送端末から送信された第２の画像データ、又は、前記情報提供装置から受信した表示データの少なくとも１つを表示画面に表示する表示制御ステップと、
通信ネットワークに接続された前記他の伝送端末との間で、前記第１の画像データ、前記第２の画像データ及び前記表示データの送受信を行うネットワーク通信ステップと、
前記表示画面に表示されている画面情報を取り込む画面情報取り込みステップと、
前記他の伝送端末に前記画面情報の記録の許否を問い合わせる問い合わせステップと、
前記問い合わせステップで問い合わせてから所定時間内に応答がない前記他の伝送端末は、前記画面情報の記録を拒否したと判定するステップと、
前記他の伝送端末からの応答に応じて、前記画面情報を編集する画面編集ステップと、
前記画面編集ステップにより応答に応じて編集された前記画面情報を画面情報記憶手段に記憶するステップと、
を実行させるプログラム。
【発明の詳細な説明】
【技術分野】
【０００１】
本発明は、通信ネットワークに接続された他の伝送端末との間で、画像データを含む所定のデータの送受信を行う伝送端末に関する。
【背景技術】
【０００２】
近年、インターネット等の通信ネットワークを介して会議等を行う伝送システムが普及している。係る伝送システムでは、カメラやマイク、スピーカ等を備えた伝送端末が用いられる。この伝送端末は、他の伝送端末との間で通話（通信）を開始すると、各伝送端末のカメラやマイクで取得された撮像データ（画像データ）や音データの送受信を行うことで、テレビ会議を実現できるよう構成されている。
【０００３】
また、伝送端末を用いてテレビ会議を行う際に、テレビ会議の当事者は、当該伝送端末とは別に各自のＰＣ(Personal Computer)等の外部入力装置を用い、この外部入力装置のディスプレイに会議資料等の画像を表示させて、会議の相手と議論等を行う場合がある。伝送端末は、外部入力装置が表示する会議資料等の表示データを受信して、テレビ会議の相手が利用している伝送端末に送信している。
【０００４】
また、伝送システムでは、テレビ会議の当事者が携帯する情報提供装置を外部入力装置として使用することも可能になっている（例えば、特許文献１参照。）。特許文献１では、例えばスマートフォンを情報提供装置として、情報提供装置がＮＦＣ（Near Field Communication）やBluetooth（登録商標）により伝送端末と通信し、資料等の画像を表示させるテレビ会議システムが開示されている。
【発明の概要】
【発明が解決しようとする課題】
【０００５】
ところで、テレビ会議の当事者としては、伝送端末のディスプレイに表示された表示画面を保存したい場合がある。このようなニーズに対し、伝送端末に表示画面を取り込むボタンを設け、当事者の操作を受け付けることが考えられる。
【０００６】
しかしながら、伝送端末の表示画面にはカメラが撮影した自分の映像だけではなく、通話先の伝送端末が撮影した通話相手の映像も含まれているため、当事者が自由に表示画面を取り込めるとすると、個人の肖像の複製が作成されてしまうという問題がある。また、情報提供装置が会議資料などの表示データを伝送端末に送信した場合は、伝送端末の表示画面には会議資料等の画像が含まれるので、当事者が自由に表示画面を取り込めるとすると、重要な資料の複製が作成されてしまう。
【０００７】
本発明は、上記課題に鑑み、伝送端末の表示画面の取り込みを制限できる伝送端末を提供することを目的とする。
【課題を解決するための手段】
【０００８】
本発明は、所定の画像を表示する情報提供装置と通信する通信手段と、撮影手段により作成された第１の画像データ、他の伝送端末から送信された第２の画像データ、又は、前記情報提供装置から受信した表示データの少なくとも１つを表示画面に表示する表示制御手段と、通信ネットワークに接続された前記他の伝送端末との間で、前記第１の画像データ、前記第２の画像データ及び前記表示データの送受信を行うネットワーク通信手段と、前記表示画面に表示されている画面情報を取り込む画面情報取り込み手段と、前記他の伝送端末に前記画面情報の記録の許否を問い合わせ、問い合わせてから所定時間内に応答がない前記他の伝送端末は、前記画面情報の記録を拒否したと判定する問い合わせ手段と、前記他の伝送端末からの応答に応じて、前記画面情報を編集する画面編集手段と、前記画面編集手段が応答に応じて編集した前記画面情報を記憶する画面情報記憶手段と、を有することを特徴とする。
【発明の効果】
【０００９】
伝送端末の表示画面の取り込みを制限できる伝送システムを提供することができる。
【図面の簡単な説明】
【００１０】
【図１】本実施形態に係る伝送システムの構成の一例を示す図である。
【図２】伝送端末のハードウェア構成の一例を示す図である。
【図３】情報提供装置のハードウェア構成の一例を示す図である。
【図４】伝送端末及び情報提供装置の機能構成を示すブロック図である。
【図５】伝送端末のディスプレイに表示された表示画面の一例を示す図である。
【図６】伝送端末との間で通信を確立し、端末でコンピュータの表示データを共有している場合の、表示画面の一例を示す図である。
【図７】表示制御部が管理する領域と表示されている表示内容の対応テーブルの一例を示す図である。
【図８】情報提供装置が伝送端末にスクリーンショットを要求する手順を示すシーケンス図の一例である。
【図９】伝送端末による他の伝送端末への問い合わせについて説明する図の一例である。
【図１０】スクリーンショットの編集について説明する図の一例である。
【図１１】情報提供装置と伝送端末が表示画面のスクリーンショットを作成する手順を示すフローチャート図の一例である。
【図１２】伝送システムの構成の一例を示す図である（実施例２）。
【図１３】伝送端末及び情報提供装置の機能構成を示すブロック図の一例である。
【図１４】伝送システムのうちスクリーンショットをデータサーバに送信する際のシステム構成を説明する図の一例である。
【図１５】伝送端末のディスプレイ又は情報提供装置のディスプレイに表示される画面例を示す図である。
【図１６】画像一覧画面の一例を示す図である。
【図１７】伝送端末１０ａｂが、伝送端末１０ａａが興味を持ったレイアウトを解析する手順を示すシーケンス図の一例である。
【発明を実施するための形態】
【００１１】
以下、本発明を実施するための形態について図面を参照しながら説明する。しかしながら、本発明の技術的範囲が、本実施の形態に限定されるものではない。
【実施例１】
【００１２】
図１は、本実施形態に係る伝送システムの構成の一例を示す図である。まず、図１を用いて、本実施形態の概略を説明する。なお、本実施形態では、距離的に離れた場所間で遠隔会議を行うことが可能な伝送システム１について説明する。
【００１３】
伝送システムには、伝送管理システムを介して一方の伝送端末から他方の伝送端末に一方向でコンテンツデータを伝送するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、テレビ会議システムやテレビ電話システム、音声会議システム、音声電話システム、ＰＣ（Personal Computer）画面共有システム等が例として挙げられる。
【００１４】
本実施形態では、コミュニケーションシステムの一例としてのテレビ会議システム、コミュニケーション管理システムの一例としてのテレビ会議管理システム、及びコミュニケーション端末の一例としてのテレビ会議端末を想定した上で、伝送システム、伝送管理システム、及び伝送端末について説明する。即ち、本実施形態の伝送端末及び伝送管理システムは、テレビ会議システムに適用されるだけでなく、コミュニケーションシステム又は伝送システムにも適用される。
【００１５】
図１に示す伝送システム１は、複数の伝送端末（１０ａａ、１０ａｂ、１０ｂａ、１０ｂｂ、１０ｃａ、１０ｃｂ、１０ｄａ、１０ｄｂ）、各伝送端末用のディスプレイ（１３０ａａ、１３０ａｂ、１３０ｂａ、１３０ｂｂ、１３０ｃａ、１３０ｃｂ、１３０ｄａ、１３０ｄｂ）、伝送端末と協働し情報の提供を行う情報提供装置（３０ａ、３０ｂ、３０ｃ、３０ｄ）、中継装置（４０ａ、４０ｂ、４０ｃ、４０ｄ）、及び伝送管理システム５０、ルータ（６０ａ、６０ｂ、６０ａｂ、６０ｃ、６０ｄ、６０ｃｄ）及びプログラム提供システム７０を有している。
【００１６】
本実施形態では、伝送端末（１０ａａ、１０ａｂ…）のうち任意の伝送端末を示す場合には「伝送端末１０」を用い、ディスプレイ（１３０ａａ、１３０ａｂ…）のうち任意のディスプレイを示す場合には「ディスプレイ１３０」を用い、情報提供装置のうち任意の情報提供装置を示す場合には「情報提供装置３０」を用い、中継装置（４０ａ、４０ｂ、４０ｃ、４０ｄ）のうち任意の中継装置を示す場合には「中継装置４０」を用い、ルータ（６０ａ、６０ｂ、６０ｃ…）のうち任意のルータを示す場合には「ルータ６０」を用いて表記する。なお、各端末や装置の個数は、図１の例に限定されないものとする。
【００１７】
伝送端末１０は、他の伝送端末１０との間で通話を行うために、画像データ（後述する撮像データ、表示データ）や音データ等の会議情報の送受信を行う。即ち、本実施形態における通話には、音データの送受信だけでなく、画像データの送受信も含まれる。
【００１８】
ここで、会議情報とは、伝送端末１０を用いて行われる通話（遠隔会議）の場において、当該会議の参加者に提示される物（例えば商品見本）、参加者の人物像、配布される書類、及び配布はされないがプロジェクター等の表示装置によって伝送端末１０のディスプレイ１３０以外に表示される資料画像等が含まれる。このように会議情報とは、直接対面して行うとした場合の会議の場において参加者が把握できる情報を意味する。なお、会議情報は、画像データ及び音データの両方であってもよいし、少なくともこれらの一つであればよい。例えば、画像データだけの場合には出席者の音声を画像中に字幕として表してもよい。なお、本実施形態では、画像データの画像が動画の場合について説明するが、静止画であってもよいし、動画と静止画の両方が含まれてもよい。
【００１９】
情報提供装置３０は、例えば、携帯することが可能な携帯電話機、ノートＰＣ（Personal Computer）、スマートフォン、タブレット等の携帯型デバイスである。情報提供装置３０は、通信可能な距離の異なる二種類の通信方法を用いて伝送端末１０と通信し、当該情報提供装置３０が備える後述するディスプレイ３０６に表示された画面を表す表示データを伝送端末１０に送信（提供）する。ここで、画面表示は、情報提供装置３０に予め導入された所定のソフトウェアプログラム（例えば、文書作成ソフトウェア、表計算ソフトウェア、プレゼンテーション用ソフトウェア等）を、情報提供装置３０で実行することによって行われる。なお、画面とは、情報提供装置３０の後述するディスプレイ３０６に表示された静止画や動画のデータを意味する。また、図１では、各拠点（事業所）に一つの情報提供装置３０を設けているが、情報提供装置３０の利用者（所持者）が移動することで、何れの拠点の伝送端末１０とも接続させることが可能であるとする。
【００２０】
中継装置４０は、伝送端末１０間の通信を中継する中継装置である。具体的に、中継装置４０は、伝送端末１０を用いて行われる通話（遠隔会議）において、複数の伝送端末１０の間で送受信される会議情報を各伝送端末１０に中継する。また、中継装置４０は、伝送端末１０の通話相手となる他の伝送端末１０との間で撮像データ等の会議情報の受信に遅延が生じた場合に、画像データの解像度を変更して情報量を低減してから、相手先の伝送端末１０へ画像データを送信する。これにより遅延を解消し会議と会議情報通信の同時性を確保する。なお、遅延量に応じた解像度の変更方法については、公知の技術を用いることが可能である。
【００２１】
伝送管理システム５０は、伝送端末１０及び中継装置４０を一元的に管理する。具体的に、伝送管理システム５０は、伝送端末１０及び中継装置４０の通信状況を一元的に管理する。例えば、伝送管理システム５０は、伝送端末１０及び中継装置４０と遣り取りを行い、伝送端末１０の伝送システム１への登録管理、伝送端末１０の端末ＩＤ及びＩＰアドレスの管理、使用についての課金管理、各伝送端末１０が通信可能な他の伝送端末１０の通知、各伝送端末１０の使用状況の把握等を行う。そして、伝送管理システム５０は、必要に応じて各伝送端末１０の状況（未接続、ログイン中、会議中など）を他の各伝送端末１０に通知する。
【００２２】
ルータ６０は、ネットワーク間を相互接続するルータ装置であって、会議情報（画像データ及び音データ）の送受信に最適な経路の選択を行う。
【００２３】
プログラム提供システム７０は、伝送端末１０に各種機能を実現させる又は伝送端末１０を各種手段として機能させるための伝送端末用プログラムが記憶された、図示しないＨＤ（Hard Disk）を備えており、伝送端末１０に伝送端末用プログラムを送信することができる。また、プログラム提供システム７０のＨＤには、情報提供装置３０に各種機能を実現させる又は情報提供装置３０を各種手段として機能させるための情報提供装置用プログラムも記憶されており、情報提供装置３０に、情報提供装置用プログラムを送信することができる。また、プログラム提供システム７０のＨＤには、中継装置４０に各種機能を実現させる又は中継装置４０を各種手段として機能させるための中継装置用プログラムも記憶されており、中継装置４０に、中継装置用プログラムを送信することができる。更に、プログラム提供システム７０のＨＤには、伝送管理システム５０に各種機能を実現させる又は伝送管理システム５０を各種手段として機能させるための通話管理用プログラムも記憶されており、伝送管理システム５０に、通話管理用プログラムを送信することができる。
【００２４】
また、伝送端末（１０ａａ、１０ａｂ）、中継装置４０ａ、及びルータ６０ａは、ＬＡＮ２ａによって通信可能に接続されている。伝送端末（１０ｂａ、１０ｂｂ）、中継装置４０ｂ、及びルータ６０ｂは、ＬＡＮ２ｂによって通信可能に接続されている。また、ＬＡＮ２ａ及びＬＡＮ２ｂは、ルータ６０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２５】
一方、伝送端末（１０ｃａ、１０ｃｂ）、中継装置４０ｃ、及びルータ６０ｃは、ＬＡＮ２ｃによって通信可能に接続されている。伝送端末（１０ｄａ、１０ｄｂ）、中継装置４０ｄ、及びルータ６０ｄは、ＬＡＮ２ｄによって通信可能に接続されている。また、ＬＡＮ２ｃ及びＬＡＮ２ｄは、ルータ６０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（６０ａｂ、６０ｃｄ）からインターネット２ｉを介して通信可能に接続されている。
【００２６】
また、伝送管理システム５０及びプログラム提供システム７０は、インターネット２ｉを介して、伝送端末１０及び中継装置４０と通信可能に接続されている。伝送管理システム５０及びプログラム提供システム７０は、地域Ａ又は地域Ｂに設置されていてもよいし、これら以外の地域に設置されていてもよい。
【００２７】
なお、本実施形態では、ＬＡＮ２ａ、ＬＡＮ２ｂ、専用線２ａｂ、インターネット２ｉ、専用線２ｃｄ、ＬＡＮ２ｃ及びＬＡＮ２ｄによって、本実施形態の通信ネットワーク２が構築されている。この通信ネットワーク２には、有線だけでなく無線による通信が行われる箇所があってもよい。
【００２８】
次に、図２を参照して、伝送端末１０のハードウェア構成について説明する。
図２は、伝送端末１０のハードウェア構成の一例を示す図である。同図に示すように、伝送端末１０は、伝送端末１０全体の動作を制御するＣＰＵ（Central Processing Unit）１０１、各種プログラムを記憶したＲＯＭ（Read Only Memory）１０２、ＣＰＵ１０１のワークエリアとして使用されるＲＡＭ（Random Access Memory）１０３、ＣＰＵ１０１の制御に従ってフラッシュメモリ１０４に対する各種データの読み出し又は書き込みを制御するＳＳＤ（Solid State Drive）１０５、メモリカード等の記録メディア１０６に対する各種データの読み出し又は書き込みを制御するメディアドライブ１０７、伝送端末１０の宛先を選択する場合などに操作されるカーソル等の操作ボタン１０８、伝送端末１０の電源のＯＮ／ＯＦＦを切り替えるための電源スイッチ１０９、通信ネットワーク２を利用してデータ伝送をするためのネットワークＩ／Ｆ１１０を備えている。
【００２９】
また、伝送端末１０は、情報提供装置３０と各種データを送受信するための通信インタフェースとして、第１通信Ｉ／Ｆ１１１と第２通信Ｉ／Ｆ１１２とを備えている。ここで、第１通信Ｉ／Ｆ１１１は、ＮＦＣ（Near Field Communication）と呼ばれる非接触ＩＣ用無線通信規格に準拠した通信インタフェースであり、第２通信Ｉ／Ｆ１１２は、Ｂｌｕｅｔｏｏｔｈ（登録商標）通信規格に準拠した通信インタフェースである。
【００３０】
また、伝送端末１０は、会議の当事者等の映像を撮影し映像データを出力するカメラ１１３、カメラ１１３の駆動を制御し当該カメラ１１３で撮像された画像データの送受信を行うカメラＩ／Ｆ１１４を備えている。なお、カメラ１１３には、ＣＰＵ１０１の制御に従って被写体を撮像し画像データを得るＣＭＯＳ（Complementary Metal Oxide Semiconductor）やＣＣＤ（Charge Coupled Device Image Sensor）等の撮像素子が内蔵されている。また、カメラ１１３は、ＵＳＢ（Universal Serial Bus）ケーブル等によってカメラＩ／Ｆ１１４に接続される。
【００３１】
また、伝送端末１０は、ＣＰＵ１０１の制御に従って、マイク１１５及びスピーカ１１６との間で音信号の入出力を処理する音入出力Ｉ／Ｆ１１７を備えている。ここで、マイク１１５及びスピーカ１１６は、ＵＳＢケーブル等によって音入出力Ｉ／Ｆ１１７に接続される。なお、マイク１１５で集音対象となる音は、自己の伝送端末１０周辺の音（例えば、自己の伝送端末１０の操作者等の音声）等であり、スピーカ１１６で出力対象となる音は、他の伝送端末１０から送信された音（例えば、他の伝送端末１０の操作者の音声等）である。
【００３２】
また、伝送端末１０は、ＣＰＵ１０１の制御に従って、ディスプレイ１３０に画像データを送信するディスプレイＩ／Ｆ１１８を有している。ディスプレイ１３０は、ケーブル１３０ｃによってディスプレイＩ／Ｆ１１８に接続される。このケーブル１３０ｃは、アナログＲＧＢ（ＶＧＡ）信用用ケーブであってもよいし、コンポーネントビデオ用のケーブルであってもよいし、ＨＤＭＩ（High-Definition Multimedia Interface）やＤＶＩ（Digital Video Interactive）信号用のケーブルであってもよい。
【００３３】
なお、本実施形態では、ディスプレイＩ／Ｆ１１８にディスプレイ１３０を接続する形態としたが、これに限らず、プロジェクター装置等の投影装置を含む映像出力機器と接続することが可能である。
【００３４】
また、伝送端末１０は、外部機器を接続するための外部機器接続Ｉ／Ｆ１１９を有している。外部機器接続Ｉ／Ｆ１１９には、ＵＳＢ（Universal Serial Bus）ケーブル等によって外付けカメラ、外付けマイク及び外付けスピーカ等の外部機器がそれぞれ接続可能である。外付けカメラが接続された場合には、ＣＰＵ１０１の制御に従って、内蔵型のカメラ１１３に優先して、外付けカメラが駆動する。同じく、外付けマイクが接続された場合や、外付けスピーカが接続された場合には、ＣＰＵ１０１の制御に従って、それぞれが内蔵型のマイク１１５や内蔵型のスピーカ１１６に優先して、外付けマイクや外付けスピーカが駆動する。
【００３５】
更に、伝送端末１０は、上記各構成要素を図２に示されているように電気的に接続するためのアドレスバスやデータバス等のバスライン１２０を備えている。
【００３６】
なお、記録メディア１０６は、伝送端末１０に対して着脱自在な構成となっている。また、ＣＰＵ１０１の制御に従ってデータの読み出し又は書き込みを行う不揮発性メモリであれば、フラッシュメモリ１０４に限らず、例えばＥＥＰＲＯＭ（Electrically Erasable and Programmable ROM）等を用いてもよい。また、ディスプレイ１３０は、被写体の画像や操作用アイコン等を表示する液晶や有機ＥＬによって構成された表示部である。
【００３７】
また、伝送端末１０で実行される伝送端末用プログラム２３２は、インストール可能な形式又は実行可能な形式のファイルで、上記記録メディア１０６等のコンピュータで読み取り可能な記録媒体に記録して流通させるようにしてもよい。また、伝送端末用プログラム２３２を、フラッシュメモリ１０４ではなくＲＯＭ１０２に記憶してもよい。また、ネットワークＩ／Ｆ１１０を経由して伝送端末用プログラム２３２をプログラム提供システム７０からダウンロードさせ、フラッシュメモリ１０４や記録メディア１０６に記録させるようにしてもよい。
【００３８】
次に、図３を参照して、情報提供装置３０のハードウェア構成について説明する。図３は、情報提供装置３０のハードウェア構成の一例を示す図である。同図に示すように、情報提供装置３０は、情報提供装置３０全体の動作を制御するＣＰＵ３０１、ＣＰＵ３０１の駆動に用いられる各種プログラムを記憶したＲＯＭ３０２、ＣＰＵ３０１のワークエリアとして使用されるＲＡＭ３０３、情報提供装置用プログラム等の各種データを記憶するＨＤ（Hard Disk）３０４、ＣＰＵ３０１の制御に従って、ＨＤ３０４に対する各種データの読み出し又は書き込みを制御するＨＤＤ（Hard Disk Drive）３０５、カーソル、メニュー、ウィンドウ、文字又は画像等の各種表示情報を表示する液晶や有機ＥＬ等の表示デバイスで構成されるディスプレイ３０６、通信ネットワーク２を利用してデータ伝送をするためのネットワークＩ／Ｆ３０７、各種指示の選択や実行、処理対象の選択、カーソルの移動等を行う操作ボタン３０８、タッチパネルにより各種指示の選択や実行、処理対象の選択、カーソルの移動等を行う操作パネル３０９、フラッシュメモリ等の記録メディア３１０に対するデータの読み出し又は書き込みを制御するメディアドライブ３１１を備えている。
【００３９】
また、情報提供装置３０は、伝送端末１０と各種データを送受信するための通信インタフェースとして、第１通信Ｉ／Ｆ３１２と第２通信Ｉ／Ｆ３１３とを備えている。ここで、第１通信Ｉ／Ｆ３１２は、ＮＦＣ（Near Field Communication）と呼ばれる非接触ＩＣ用無線通信規格に準拠した通信インタフェースであり、第２通信Ｉ／Ｆ３１３は、Ｂｌｕｅｔｏｏｔｈ（登録商標）通信規格に準拠した通信インタフェースである。
【００４０】
更に、情報提供装置３０は、上記各構成要素を図３に示されているように電気的に接続するためのアドレスバスやデータバス等のバスライン３１４を備えている。また、記録メディア３１０は、情報提供装置３０に対して着脱自在な構成となっている。
【００４１】
なお、情報提供装置３０が実行する情報提供装置用プログラムは、インストール可能な形式又は実行可能な形式のファイルで、上記記録メディア３１０等のコンピュータで読み取り可能な記録媒体に記録して流通させるようにしてもよい。また、情報提供装置用プログラムは、ＨＤ３０４ではなくＲＯＭ３０２に記憶されるようにしてもよい。また、ネットワークＩ／Ｆ３０７を経由して同プログラムをプログラム提供システム７０からダウンロードさせ、ＨＤ３０４や記録メディア３１０等のコンピュータで読み取り可能な記録媒体に記録させるようにしてもよい。また、伝送端末１０の記憶部２３に記憶されている情報提供装置用プログラムを受信して実行してもよい。
【００４２】
また、中継装置４０、伝送管理システム５０及びプログラム提供システム７０は、何れもサーバ装置であって、上述した情報提供装置３０と同様のコンピュータ構成を有している（図示せず）。中継装置４０、伝送管理システム５０及びプログラム提供システム７０の各々が具備するＣＰＵは、自己の装置が具備する記憶媒体に記憶されたプログラムや、プログラム提供システム７０から提供されるプログラムを実行することにより、各装置の機能を実現している。
【００４３】
次に、上述した伝送端末１０及び情報提供装置３０の機能構成について説明する。図４は、伝送端末１０及び情報提供装置３０の機能構成を示すブロック図である。
【００４４】
図４に示すように、伝送端末１０は、送受信部１１、操作入力受付部１２、ログイン要求部１３、撮像部１４、音入力部１５、音出力部１６、表示制御部１７、画面撮影部１８、記憶・読出処理部１９、外部情報判定部２０、ＮＦＣ送受信部２１、ブルートゥース送受信部２２、画像編集部２４、及び、問い合わせ部２５を有している。これら各部は、図２に示されている各構成要素の何れかが、ＲＡＭ１０３に展開された伝送端末用プログラムに従ったＣＰＵ１０１からの命令によって動作することで実現される機能又は機能される手段である。また、伝送端末１０は、図２に示したＳＳＤ１０５によって構築される記憶部２３を有している。
【００４５】
伝送端末１０の送受信部１１は、図２に示したＣＰＵ１０１からの命令、及び図２に示したネットワークＩ／Ｆ１１０によって実現され、通信ネットワーク２を介して他の端末、装置又はシステムと各種データ(情報)の送受信を行う。また、送受信部１１は、中継装置４０を介して会議相手となる他の伝送端末１０との間で通信が確立すると、この他の伝送端末１０の端末ＩＤを、記憶部２３に格納された後述する管理テーブル（不図示）に登録することで、通話相手（会議相手）となった伝送端末１０の端末ＩＤを管理する。なお、伝送端末１０の端末ＩＤは、例えば、各伝送端末１０に予め割り当てられたホストネーム（名前）やＩＰアドレス、番号、識別子であって、各伝送端末１０を識別可能な識別情報である。なお、端末ＩＤは、伝送端末１０のユーザに対して割り当てられていてもよい。
【００４６】
操作入力受付部１２は、図２に示したＣＰＵ１０１からの命令、及び図２に示した操作ボタン１０８及び電源スイッチ１０９によって実現され、伝送端末１０の操作者による各種入力を受け付ける。例えば、操作者が、会議相手の伝送端末１０を選択する場合に、ディスプレイ１３０に表示された会議相手を選択するための選択用画面（図示せず）で、会議相手が使用する伝送端末１０をカーソルキーで選択し決定ボタンを押すと、その選択された伝送端末１０の端末ＩＤやＩＰアドレスを、会議相手として受け付ける。また、操作入力受付部１２では、画面に表示される画像データの配置や大きさ（レイアウト）を変更する場合に自己の伝送端末１０の操作者から操作ボタン１０８等を介して、その変更を指示する情報を受け付ける。
【００４７】
ログイン要求部１３は、図２に示したＣＰＵ１０１からの命令によって実現され、送受信部１１から通信ネットワーク２を介して伝送管理システム５０に、自己の伝送端末１０のログインを要求するログイン要求情報、及び自己の伝送端末１０の現時点でのＩＰアドレスを自動的に送信する。ここで、ログイン要求情報には、端末ＩＤが少なくとも含まれているものとし、伝送管理システム５０は、各伝送端末１０から送信されるログイン要求情報（端末ＩＤ）及びＩＰアドレスの管理を行う。なお、伝送管理システム５０に対するログイン要求情報及びＩＰアドレスの送信は、伝送端末１０の電源投入に伴い、自動的に行われるように設定されているものとする。なお、ログイン要求情報及びＩＰアドレスの送信は、伝送端末１０に対するユーザの操作指示に応じて実行してもよい。
【００４８】
撮像部１４は、図２に示したＣＰＵ１０１からの命令、図２に示したカメラ１１３及びカメラＩ／Ｆ１１４によって実現され、被写体である出席者などの会議室の画像を撮影し、この撮影により得られた撮像データを出力する。
【００４９】
音入力部１５は、図２に示したＣＰＵ１０１からの命令、及び図２に示した音入出力Ｉ／Ｆ１１７によって実現され、マイク１１５によって収集された伝送端末１０近傍の音を音信号に変換し音データを生成する。音出力部１６は、図２に示したＣＰＵ１０１からの命令、及び図２に示した音入出力Ｉ／Ｆ１１７によって実現され、他の伝送端末１０から送信された音データ等をスピーカ１１６に出力することで、スピーカ１１６から音を出力させる。
【００５０】
表示制御部１７は、図２に示したＣＰＵ１０１からの命令、及び図２に示したディスプレイＩ／Ｆ１１８によって実現され、ディスプレイ１３０に対して画像データ（撮像データ、表示データ）を送信し、これらのデータを表示するための制御を行う。
【００５１】
記憶・読出処理部１９は、図２に示したＣＰＵ１０１からの命令、及び図２に示したＳＳＤ１０５によって実行され、記憶部２３に各種データを記憶したり、記憶部２３に記憶された各種データを読み出す処理を行う。記憶部２３には、伝送端末１０の機能を実現する伝送端末用プログラム２３２が記憶され、及び、画像保存用領域２３１が確保されている。画像保存用領域２３１は、ディスプレイ１３０の表示画面のスクリーンショットを保存するための領域である。
【００５２】
外部情報判定部２０は、図２に示したＣＰＵ１０１によって実現され、伝送端末１０の外部にある情報提供装置３０からデータの送受信があるか否かを判定する。
【００５３】
ＮＦＣ送受信部２１は、図２に示したＣＰＵ１０１からの命令、及び図２に示した第１通信Ｉ／Ｆ１１１によって実現され、ＮＦＣ規格の非接触通信により情報提供装置３０の後述するＮＦＣ送受信部３１との間で、非接触の通信（以下、ＮＦＣ通信という）を行う。
【００５４】
ブルートゥース送受信部２２は、図２に示したＣＰＵ１０１からの命令、及び図２に示した第２通信Ｉ／Ｆ１１２によって実現され、近距離通信手段であるＢｌｕｅｔｏｏｔｈ（登録商標）通信規格により情報提供装置３０と無線で通信する。
【００５５】
なお、本実施形態では、第２通信Ｉ／Ｆ１１２として、Ｂｌｕｅｔｏｏｔｈ（登録商標）通信規格に準拠した通信Ｉ／Ｆを用いているが、これに限定されるものでなく、他の規格、例えば、ＩＥＥＥ８０２．１１ａ／ＩＥＥＥ８０２．１１ｂ規格のＷｉＦｉ（Wireless Fidelity）方式の通信Ｉ／Ｆを用いてもよい。この場合、データの送受信を担うＩＥＥＥ８０２．１１ａ／ｂ／ｇ／ｎ規格のネットワークボードと、ＩＥＥＥ８０２．１１ａ／ｂ／ｇ／ｎによる無線通信の確立やデータの送受信を制御する通信制御部（通信制御プログラム）とで、ブルートゥース送受信部２２に相当するＷｉＦｉ送受信部を構成すればよい。また、ＵＷＢ（Ultra Wide Band）通信方式で機器間の距離が３ｍ以内なら優先のＵＳＢ２．０と同等の４８０Ｍｂｐｓでの通信が可能なＷｉｒｅｌｅｓｓ ＵＳＢ規格で無線通信を行うように構成することができる。なお、伝送端末１０と情報提供装置３０は無線通信でなく、ＵＳＢケーブルなどの有線で接続されてもよい。
【００５６】
画面撮影部１８は、ディスプレイ１３０の表示画面を取り込んでスクリーンショットを作成する。スクリーンショットは、例えばJpegやBitmapといった静止画の画像データである。
【００５７】
問い合わせ部２５は、伝送端末１０の利用者がスクリーンショットを取り込む操作を行った場合、管理テーブルに登録されている他の伝送端末にスクリーンショットの取り込みの許否を問い合わせる。
【００５８】
画像編集部２４は、取り込みを拒否した利用者の伝送端末から送信された画像データ（撮像データ、表示データ）を黒塗りしたり、他の画像で置き換えるなどして編集する。
【００５９】
次に、情報提供装置３０について説明する。情報提供装置３０は、図４に示されているように、ＮＦＣ送受信部３１、ブルートゥース送受信部３２、操作入力受付部３３、表示制御部３４、表示データ取得部３５、表示データ通信部３６及び記憶・読出処理部３７を有している。これら各部は、図３に示されている各構成要素の何れかが、ＲＡＭ３０３に展開された情報提供装置用プログラム３８１に従ったＣＰＵ３０１からの命令によって動作することで実現される機能又は機能される手段である。また、情報提供装置３０は、図３に示されているＨＤＤ３０５によって構築される記憶部３８を有している。
【００６０】
ＮＦＣ送受信部３１は、図３に示したＣＰＵ３０１からの命令、及び図３に示した第１通信Ｉ／Ｆ３１２によって実現され、ＮＦＣ規格の非接触通信（以下、ＮＦＣ通信という）により伝送端末１０のＮＦＣ送受信部２１と非接触で通信する。
【００６１】
ブルートゥース送受信部３２は、図３に示したＣＰＵ３０１からの命令、及び図３に示した第２通信Ｉ／Ｆ３１３によって実現され、伝送端末１０のブルートゥース送受信部２２との通信が確立した場合は、後述する表示データ取得部３５が取得した表示データを伝送端末１０に送信する。また、ブルートゥース送受信部３２は、伝送端末１０から表示データの共有状態を示す情報などを受信する。
【００６２】
操作入力受付部３３は、図３に示したＣＰＵ３０１からの命令、及び図３に示した操作ボタン３０８、操作パネル３０９によって実現され、利用者の操作による入力を受け付ける。
【００６３】
表示制御部３４は、図３に示したＣＰＵ３０１からの命令、及び図３に示したディスプレイ３０６によって実現され、カーソル、メニュー、ウィンドウ、文字又は画像等の各種情報をディスプレイ３０６に表示させる。
【００６４】
表示データ取得部３５は、図３に示したＣＰＵ３０１と、伝送端末１０の記憶部２３に記憶された情報提供装置用プログラム３８１との協働によって実現され、表示制御部３４がディスプレイ３０６に表示させる各種情報に関する表示データを取得するものである。
【００６５】
表示データ通信部３６は、図３に示したＣＰＵ３０１からの命令、及び図３に示した第２通信Ｉ／Ｆ３１３によって実現され、表示データ取得部３５が取得した表示データを、ブルートゥース送受信部３２を介して伝送端末１０に送信する。また、表示データ通信部３６は、伝送端末１０から状態の変化に応じて送信される各種情報を受信する。
【００６６】
記憶・読出処理部３７は、図３に示したＣＰＵ３０１からの命令、及び図３に示したＨＤＤ３０５によって実現され、記憶部３８に各種データを記憶したり、記憶部３８に記憶された各種データを読み出したりする処理を行う。この記憶部３８には、情報提供装置３０の機能を実現する情報提供装置用プログラム３８１、会議中に共有させる資料等のデータ（以下、資料データという）や、この資料データを表示させるための各種プログラム（ワードプロセッサ、スプレッドシート、プレゼンテーション）等が予め記憶されている。
【００６７】
〔ディスプレイ１３０の表示画面〕
次に、以上に述べた伝送システム１の伝送端末１０のディスプレイ１３０に表示される表示画面について説明する。遠隔会議の場において、伝送端末１０のディスプレイ１３０上に表示されるデータとしては、カメラ１１３により撮像された撮像データと、情報提供装置３０から送信される表示データとが挙げられる。ここで、撮像データは、自己及び他の伝送端末１０のカメラ１１３で撮像された画像形式のデータを意味する。また、表示データは、情報提供装置３０又は他の伝送端末１０に接続されたディスプレイ３０６に表示されている画面を表すデータである。
【００６８】
図５（ａ）〜（ｃ）は、伝送端末１０のディスプレイ１３０に表示された表示画面の一例を示す図である。図５（ａ）では一の画面が４つの領域Ａ２１〜Ａ２４に区分けされた例を示しており、画面左部から中央にかけての大領域（第１表示領域）を表示領域Ａ２１、画面右上部から右下部にかけての小領域（第２表示領域）をそれぞれ表示領域Ａ２２から表示領域Ａ２４としている。図５（ａ）のレイアウトの場合、例えば、表示領域Ａ２１には、会議の参加者がマイク１１５に向かって発話中の伝送端末１０の撮像データが割り当てられる。
【００６９】
図５（ｂ）では、伝送端末１０のディスプレイ１３０に情報提供装置３０が表示する表示データが表示画面として表示されている。情報提供装置３０から表示データが送信されているときは、図５（ｂ）のように表示データを画面全体（表示領域Ａ２）に割り当てることで、表示データを画面全体に表示させる。
【００７０】
図５（ｃ）では、情報提供装置３０の表示データを表示領域Ａ２１に割り当てて表示するとともに、各伝送端末１０の撮像データを表示領域Ａ２２から順に割り当てて表示されている。これにより、表示データが表示画面の中央に近い位置に配置されて且つ他よりも大きく表示されるため、プレゼンテーション資料等の視認性を向上させるとともに強調して表示することができる。図５（ｃ）のレイアウトの場合、例えば、最後に表示データの配信開始ボタン（後述する）が押下され情報提供装置３０の表示データが表示領域Ａ２１に割り当てられる。
【００７１】
利用者により伝送端末１０の所定のボタン（例えばカーソルキー）が押下され、操作入力受付部１２によりこの所定のボタンの入力が受け付けられると、表示制御部１７は図５（ａ）→図５（ｂ）→図５（ｃ）→図５（ａ）といったように画面を切り替える。
【００７２】
続いて、表示画面のスクリーンショットの作成について説明する。
【００７３】
図６は、伝送端末との間で通信を確立し、伝送端末が情報提供装置３０の表示データを共有している場合のディスプレイ３０６の表示例を示す。表示データを送信している情報提供装置３０のディスプレイ３０６に、表示制御部３４は配信開始ボタンＢ３１とスクリーンショット用のボタンＢ３３を表示する。配信開始ボタンＢ３１は、利用者が情報提供装置３０に、伝送端末１０への表示データの配信開始を指示するためのボタンである。スクリーンショット用のボタンＢ３３は、伝送端末１０にスクリーンショットの作成を指示するためのボタンである。
【００７４】
図６（ｂ）に示すように、利用者が配信開始ボタンＢ３１を押下すれば、配信停止ボタンＢ３２が表示される。配信停止ボタンＢ３２は、利用者が情報提供装置３０に、表示データの配信停止を指示するためのボタンである。なお、利用者が配信停止ボタンＢ３２を押下すれば、配信開始ボタンＢ３１が表示される。スクリーンショット用のボタンＢ３３は、配信開始ボタンＢ３１又は配信停止ボタンＢ３２のどちらが表示されていても表示される。
【００７５】
利用者は情報提供装置３０を操作したまま、伝送端末１０に表示画面のスクリーンショットを作成させることができる。すなわち、利用者は伝送端末１０のボタンを押さなくてもスクリーンショットを作成できる。
【００７６】
なお、情報提供装置３０のディスプレイ３０６にスクリーンショット用のボタンＢ３３を表示するのでなく、伝送端末１０のディスプレイ１３０にスクリーンショット用のボタンＢ３３を表示してもよい。また、伝送端末１０のハード的なスイッチをスクリーンショットの受け付け操作手段としてもよい。
【００７７】
ユーザがスクリーンショット用のボタンＢ３３を押下又はクリックすると、操作入力受付部３３がスクリーンショット作成の操作を受け付ける。これによりＮＦＣ送受信部３１又はブルートゥース送受信部３２が伝送端末にスクリーンショットの作成要求を送信する。伝送端末１０の画面撮影部１８は、表示画面を取り込んでスクリーンショットを作成し、必要であれば編集した後、画像保存用領域２３１に保存する。
【００７８】
なお、図６（ａ）（ｂ）のスクリーンショット用のボタンＢ３３は、伝送端末１０がディスプレイ１３０に表示する表示画面が、図５（ａ）〜（ｃ）のどのレイアウトであっても表示される。つまり、利用者は常にスクリーンショットの機能を利用できる（ディスプレイ３０６にスクリーンショット用のボタンＢ３３が表示される）。
【００７９】
会議相手の参加者の肖像がディスプレイ１３０に表示されているレイアウトには、例えば以下のようなモードがある。
【００８０】
・フルスクリーン(相手画像)モード
・PandPモード（自拠点を含む参加拠点が同じ大きさで配列される）
・PinPモード（自拠点を含まないPandPモードの右下に小さく自映像が表示される）
・マルチビューモード（相手映像をメインにして右側、下側、左側に残りの拠点（自拠点含む）の映像が小さく表示される）
・ＰＣ画面マルチビューモード（共有中のＰＣ画面がメインのマルチビューモード）
マルチビューモードの一例は図５（ａ）、ＰＣ画面マルチビューモードの一例は図５（ｃ）である。図５（ｂ）は肖像が含まれていないフルスクリーンモードである。なお、PandPモード、PinPモードの例は図１５（ｂ）に示した。
【００８１】
伝送端末１０の表示制御部１７は、各モードにおいて、領域に表示されている情報を管理している。領域の数や大きさが異なっても各領域に撮像データが表示されるのは同様である。
【００８２】
図７は、表示制御部１７が管理する領域と表示されている表示内容の対応テーブルの一例を示す図である。Ａ２１〜２４の領域毎に、伝送端末と表示内容が対応づけて登録されている。したがって、問い合わせ部２５は、表示制御部１７から画像データ（撮像データ、表示データ）を表示している伝送端末の端末ＩＤを取得できる。
【００８３】
図８は、情報提供装置が伝送端末１０にスクリーンショットを要求する手順を示すシーケンス図の一例である。
S1：利用者がボタンＢ３３を押下する。  
S2：ＮＦＣ送受信部３１又はブルートゥース送受信部３２は、伝送端末１０にディスプレイ１３０に表示されている表示画面を取り込むよう要求する。
S3：画面撮影部１８はディスプレイ１３０に表示している表示画面のスクリーンショットを取り込む（これは一時保存であり、他の伝送端末に問い合わせた後にスクリーンショットは編集される場合がある。詳細は後述する）。
【００８４】
〔問い合わせ〕
図９は、伝送端末１０による他の伝送端末１０への問い合わせについて説明する図の一例である。伝送端末１０ａａは、伝送端末１０ａｂ、１０ｂａ、１０ｂｂとセッションを確立して、画像データ（撮像データ、表示データ）や音データの送受信を行うと共に、表示データを共有している。伝送管理システムには、現在、会議を行っている（セッションを確立している）伝送端末が紐づけて登録されている。なお、伝送端末１０ａａの端末ＩＤ（図ではＩＤと記載）をＡＡＡ、伝送端末１０ａｂの端末ＩＤをＢＢＢ、伝送端末１０ｂａの端末ＩＤをＣＣＣ、伝送端末１０ｂｂの端末ＩＤをＤＤＤとする。
【００８５】
(i)  図９では、図５（ａ）のレイアウトで伝送端末１０ａａの利用者がスクリーンショット用のボタンＢ３３を押下したものとする。
【００８６】
(ii)  伝送端末１０ａａは表示画面を取り込むよう要求されると、画面撮影部１８がスクリーンショットを取り込み一時保存する。
【００８７】
(iii)  そして、伝送端末１０ａａの問い合わせ部２５が送受信部１１を介して伝送管理システム５０に問い合わせを要求する。問い合わせるのは、表示画面で画像データ（撮像データ、表示データ）が表示されている伝送端末である。ここでは領域Ａ２２〜Ａ２４の伝送端末１０ａｂ、１０ｂａ、１０ｂｂが特定される。伝送管理システムは、伝送端末１０ａａとセッションを確立している伝送端末１０ａｂ、１０ｂａ、１０ｂｂを特定し、スクリーンショットを保存してよいか否かの問い合わせを行う。
【００８８】
(iv)  伝送端末１０ａｂ、１０ｂａ、１０ｂｂの送受信部１１は問い合わせを受信して、表示制御部１７が確認ダイアログＤ１をディスプレイ１３０に表示する。確認ダイアログＤ１には、「ＡＡＡが会議画像を保存しようとしています」というメッセージに対し、許可するボタン５０１及び許可しないボタン５０２が表示される。
【００８９】
会議相手の利用者は確認ダイアログＤ１の許可するボタン５０１又は許可しないボタン５０２を押下する。なお、確認ダイアログＤ１は、情報提供装置３０に表示してもよい。
【００９０】
(v)  伝送端末１０ａｂ、１０ｂａ、１０ｂｂの操作入力受付部１２は、利用者による許可するボタン５０１又は許可しないボタン５０２の押下を受け付け、送受信部１１が選択されたボタン情報を伝送管理システム５０に送信する。伝送管理システム５０は、問い合わせを行った伝送端末１０ａａに選択されたボタン情報を送信する。
【００９１】
(vi)  問い合わせを送信した伝送端末１０ａａの表示制御部１７は、問い合わせを送信した後、画像保存待ちダイアログＤ２を表示する。画像保存待ちダイアログＤ２は、会議相手に問い合わせ中であること、ボタン情報を送信した伝送端末と送信していない伝送端末を、伝送端末１０ａａの利用者に通知するためのダイアログである。図では、伝送端末１０ａｂが「許可する」を選択したこと、伝送端末１０ｂａが「許可しない」を選択したこと、伝送端末１０ｂｂは問い合わせ中であることが示されている。また、許可するボタン５０１又は許可しないボタン５０２のいずれも選択しない利用者が存在する場合に対応して、残りの待機時間が表示されている。
【００９２】
問い合わせ部２５は、全ての伝送端末１０ａｂ，１０ｂａ、１０ｂｂから許可する・許可しない、が選択されたボタン情報を受信すると、画像編集部２４に画像の編集を指示する。なお、問い合わせしてから所定時間内に伝送端末１０から許可する・許可しない、が選択されたボタン情報を受信しない場合、タイムアウトと判定し、問い合わせ部２５は許可しないボタン５０２が選択されたと判定する。
【００９３】
〔画像編集〕
続いて、図１０を用いて、画像の編集について説明する。画像編集部２４は、スクリーンショット用のボタンＢ３３が押下された直後に、ディスプレイ１３０に表示されている表示画面のスクリーンショットを作成する。そして、スクリーンショットをＲＡＭ１０３などにそのまま一時保存する。こうすることで、各伝送端末１０から受信した又は自動判定した許可する・許可しない、のボタン情報を受信するまでに時間が経過しても、利用者がスクリーンショット用のボタンＢ３３が押下した時の表示画面を取り込むことができる。
【００９４】
図１０（ａ）は一時保存画像の一例を示している。したがって、一時保存されたスクリーンショットでは、全ての伝送端末１０ａｂ，１０ｂａ、１０ｂｂの画像データ（撮像データ、表示データ）が表示されている。なお、このスクリーンショットは伝送端末１０ａａのディスプレイ１３０には表示されないが、暗号化するなどしておくことが好ましい。
【００９５】
その後、各伝送端末１０から許可するボタン５０１又は許可しないボタン５０２のボタン情報を受信した場合、又は、タイムアウトした場合、画像編集部２４は、許可しないと回答した伝送端末１０及びタイムアウトした伝送端末１０から送信された画像データ（撮像データ、表示データ）の領域を編集する。図１０（ｂ）の例では、伝送端末１０ｂａは「許可しない」を選択し、伝送端末１０ｂｂはタイムアウトしている。このため、画像編集部２４は伝送端末１０ａｂの撮像データが表示されているＡ２３の領域と伝送端末１０ｂａの撮像データが表示されているＡ２４の領域を編集する。
【００９６】
編集とは領域の視認性を低下させる画像処理である。例えば以下のような編集方法がある。
・黒く塗りつぶす（画素値０の画素で置き換える）
・予め定められた風景画像で置き換える
・輝度を下げる（人物が判別できない程度に一律に画素値を小さくする）
・輝度を上げる（人物が判別できない程度に一律に画素値を大きくする）
・市松模様や網掛けなどの模様を上書きする
こうすることで、保存を拒否した伝送端末の利用者の画像が記憶されることを防止できる。画像編集部２４は、編集後の画像を画像保存用領域２３１に保存し、一時保存画像を削除する。
【００９７】
なお、このように個別に編集するのでなく、少なくとも１つの伝送端末（会議相手）が保存を許可しない場合、スクリーンショットの一時保存画像を破棄し、一切のスクリーンショットを保存しないようにしてもよい。
【００９８】
図１１は、情報提供装置３０と伝送端末１０が表示画面のスクリーンショットを作成する手順を示すフローチャート図の一例である。図１１の処理フローは、情報提供装置３０が伝送端末１０と通信し、情報提供装置３０の表示データを送信している場合に繰り返し実行される。なお、情報提供装置３０の表示制御部３４は、配信停止ボタンＢ３２の下にスクリーンショット用のボタンＢ３３を表示している。
【００９９】
情報提供装置３０の操作入力受付部３３は、利用者からスクリーンショット用のボタンＢ３３が押下されたか否かを判定する（Ｓ１１−１）。スクリーンショット用のボタンＢ３３が押下されない場合（Ｓ１１−１のＮｏ）、情報提供装置３０は定期的に判定を繰り返す。
【０１００】
スクリーンショット用のボタンＢ３３が押下された場合（Ｓ１１−１のＹｅｓ）、ＮＦＣ送受信部３１又はブルートゥース送受信部３２は、伝送端末１０にスクリーンショットのイベントを送信し、スクリーンショットを実行するよう要求する（１１−２）。
【０１０１】
伝送端末１０の画面撮影部１８は、ＲＡＭ１０３にスクリーンショットを一時保存する(１１−３)。
【０１０２】
画面撮影部１８は、スクリーンショットの作成時の、ディスプレイ１３０の画面レイアウト情報を表示制御部１７から取得する（１１−４）。
【０１０３】
問い合わせ部２５は、表示されていた会議相手の伝送端末１０にスクリーンショットによる画像保存を許可するかどうか問い合わせる(１１−５)。
【０１０４】
問い合わせ部２５は、問い合わせを送信した全ての伝送端末１０から許可する・許可しない、のボタン情報を受信したか、又は、タイムアウトしたか否かを判定する（Ｓ１１−６）。
【０１０５】
全ての伝送端末１０からボタン情報を受信するか、又は、タイムアウトすると（Ｓ１１−６のＹｅｓ）、画像編集部２４は一時保存されたスクリーンショットを編集し、画像保存用領域２３１に保存する（Ｓ１１−７）。すなわち、許可しないと応答した伝送端末１０又は応答しなかった伝送端末１０の画像データが表示されている領域を例えば黒く塗りつぶす。これにより、スクリーンショットの画像の保存を拒否した伝送端末１０の参加者の肖像を保存することを防止できる。
【０１０６】
一度、「許可しない」を選択した利用者は、次回の問い合わせに対してもスクリーンショットの保存を許可しない可能性が高いので、伝送端末１０は「許可しない」というボタン情報を記憶しておくことが好ましい。一度、「許可する」を選択した利用者については、次回の問い合わせに対しスクリーンショットの保存を許可するかどうかは不明なので、再度、問い合わせることとする。
【０１０７】
また、確認ダイアログＤ１に、「常に許可する」、「常に許可しない」「一度だけ許可する」「一度だけ拒否する」というボタンを設けてもよい。スクリーンショットの保存を許可してよい利用者は「常に許可する」を選択することで、再度、確認ダイアログＤ１に回とする必要をなくすことができる。
【０１０８】
なお、上記では伝送端末１０の撮像データがスクリーンショットに含まれる場合に、問い合わせることとしたが、表示データがスクリーンショットに含まれる場合に問い合わせてもよい。表示データには会議のプレゼン資料が含まれることが多いため、表示データの任意の保存はセキュリティの低下となる場合があるためである。この場合、問い合わせ部２５は、表示制御部１７に表示データを表示している伝送端末の端末ＩＤを取得し、特定した伝送端末に表示データの保存の許可する・許可しない、を問い合わせる。
【０１０９】
以上説明したように、本実施例の伝送システム１は、伝送端末１０に表示されている表示画面のスクリーンショットの保存を可能であるが、保存時には各利用者の許可を得るので、利用者の許可なく肖像や会議資料などが保存されることを防止できる。
【０１１０】
なお、本実施の形態は本発明の範囲を限定するものではなく、記憶部２３、３８は通信ネットワーク２などを介して伝送端末１０及び情報提供装置３０がアクセス可能な場所に配置されていればよい。また、伝送端末１０の機能を情報提供装置３０が有していてもよい。例えば、画像編集部２４や問い合わせ部２５は情報提供装置３０が有することができる。また、１台の伝送端末１０と複数台の情報提供装置３０が通信してもよい。
【実施例２】
【０１１１】
実施例１にて説明したように、利用者は所定のボタンを押すことで図５（ａ）〜（ｃ）のレイアウトを切り替えることができる。しかしながら、自機である伝送端末１０を好みのレイアウトに切替えられるという利点がある一方で、他の伝送端末１０の利用者がどのレイアウトに興味があったのかを知ることができないという不都合がある。
【０１１２】
そこで、本実施例では、スクリーンショットの機能を利用して、他の伝送端末１０の利用者が興味をもったレイアウトを、自端末の利用者が後から確認できる伝送システムについて説明する。
【０１１３】
図１２は、本実施形態に係る伝送システムの構成の一例を示す図である。本実施例において、図１において同一の符号を付した構成要素は同様の機能を果たすので、主に本実施例の主要な構成要素についてのみ説明する場合がある。本実施例では、プログラム提供システム７０でなく、データサーバ１００がインターネット２ｉを介して伝送端末１０と通信可能に接続されている。なお、プログラム提供システム７０は伝送システム１に含まれているが不図示とした。
【０１１４】
データサーバ１００は、スクリーンショットを保存すると共に、伝送端末１０又は情報提供装置３０がスクリーンショットの閲覧を要求した場合にスクリーンショットを閲覧可能としている。データサーバ１００は、情報処理装置の他、ＮＡＳ（Network Attached Storage）などの記憶装置でもよい。
【０１１５】
図１３は、伝送端末１０及び情報提供装置３０の機能構成を示すブロック図である。本実施例では、伝送端末１０が新たにＳＳ転送部２６と閲覧部２７を有している。ＳＳ転送部２６は、画面撮影部１８が取り込んだスクリーンショットをデータサーバ１００に送信する。なお、ＳＳ転送部２６は、スクリーンショットに適切なファイル名を付与する。また閲覧部２７は、データサーバ１００にアクセスしてスクリーンショットをディスプレイ１３０に表示させる。
【０１１６】
なお、閲覧は伝送端末１０でなくてもデータサーバ１００と通信可能な情報処理装置であれば可能である。本実施例では、情報提供装置３０が有する閲覧部２７を図示したが、スクリーンショットを閲覧可能な情報処理装置は情報提供装置３０に限られない。
【０１１７】
データサーバ１００は、送受信部４１、閲覧制御部４２、解析部４３、及び、共有フォルダ４４を有している。送受信部４１は、スクリーンショットを受信し、また、閲覧要求が受信された場合にはスクリーンショットを送信する。閲覧制御部４２は閲覧要求が受信された場合に共有フォルダ４４からスクリーンショットを読み出す。解析部４３は、スクリーンショットをレイアウト毎にカウントする。共有フォルダ４４は、各伝送端末から送信されたスクリーンショットを保存するためのフォルダである。
【０１１８】
図１４（ａ）は、伝送システムのうちスクリーンショットをデータサーバ１００に送信する際のシステム構成を説明する図の一例である。実施例１にて説明したように、伝送端末１０ａａの画面撮影部１８がスクリーンショットを作成し、必要であれば画像編集部２４が画像を編集し、画像保存用領域２３１に保存する。利用者は伝送端末１０ａａを操作してデータサーバ１００に送信するスクリーンショットを選択することが可能である。図ではＨＴＴＰのＰＯＳＴコマンドでスクリーンショットのファイル（ＡＡＡ_ＸＸＸ．ｊｐｇ）が送信されている。
【０１１９】
ＳＳ転送部２６は、送信するスクリーンショット又は画像保存用領域２３１に保存される全てのスクリーンショットにファイル名を付与する。スクリーンショットのファイル名は「端末ＩＤ」と「日付」の文字列を含むように生成される。端末ＩＤは自端末に記憶されているＩＤを取得し、日付は端末が内蔵する時計から取得する。例えば、端末ＩＤ「AAA」で、「2012/7/7 14:50 23秒」に取り込まれたスクリーンショットのファイル名は「AAA_20120707145023.拡張子」となる。ファイル名に端末ＩＤと日時情報が含まれるので、データサーバ１００はスクリーンショットを保存した伝送端末にのみスクリーンショットの閲覧を許可したり、ある期間のスクリーンショットの閲覧を許可するなどの制御ができる。なお、端末ＩＤと日時情報はファイル名に含めるのでなく、ファイルのタグやメタデータとして保持してもよい。
【０１２０】
データサーバ１００の送受信部４１は、スクリーンショットを受信すると共有フォルダ４４に蓄積する。なお、スクリーンショットのファイル名は、データサーバ１００がスクリーンショットを受信した場合に付与してもよい。図示するように、共有フォルダ４４には、各伝送端末が送信したスクリーンショットが記憶される。
【０１２１】
図１４（ｂ）は、伝送システムのうちスクリーンショットを伝送端末１０等が閲覧する際のシステム構成を説明する図の一例である。閲覧部２７は、例えばブラウザ機能であり、利用者が指定したＵＲＬ「http://photoshot/index」にアクセスする。伝送端末１０と情報提供装置３０でアクセス方法を変えてもよい。伝送端末１０は、用途が限られているので、ＳＭＢなどのファイル共有サービスでアクセスできれば、操作性が向上する可能性がある。また、情報提供装置３０のように汎用的な情報処理装置は上記のブラウザや、所定の通信プロトコルでデータサーバ１００と通信するアプリでアクセスする。
【０１２２】
図１５（ａ）は伝送端末のディスプレイ１３０又は情報提供装置３０のディスプレイ３０６に表示される画面例を示す図である。ここでは伝送端末１０ａｂがデータサーバ１００に閲覧要求するものとする。閲覧制御部４２は、アクセスした伝送端末１０ａｂ又は情報提供装置３０に対し、端末ＩＤ入力画面４０１を送信する。端末ＩＤ入力画面４０１には、端末ＩＤ入力欄４０２が配置されている。利用者は任意の端末ＩＤを入力できる（自分が転送したスクリーンショット又はそれ以外のスクリーンショットを閲覧できる）。
【０１２３】
利用者が端末ＩＤの入力後、ＯＫボタン４０３を押下すると、閲覧部２７は端末ＩＤをデータサーバ１００に送信する。データサーバ１００の閲覧制御部４２は、受信した端末ＩＤに対応する伝送端末１０ａａが送信したスクリーンショットを共有フォルダ４４から検索し、伝送端末１０ａｂに送信する。この時点で送信するスクリーンショットは、サムネイルでもよい。
【０１２４】
図１５（ｂ）はスクリーンショットが表示された端末ＩＤ入力画面４０１の一例を示す図である。利用者が端末ＩＤとして「ＡＡＡ」を入力したので、端末ＩＤ入力画面４０１には「ＡＡＡ」がファイル名に含まれるスクリーンショットが表示されている。スクリーンショットは一覧性を高めるために、サムネイル表示又は縮小して表示されている。
【０１２５】
なお、データサーバ１００からサムネイル又は縮小したスクリーンショットが送信された場合、利用者が１つのスクリーンショットを選択する（クリックする）ことで、スクリーンショットの全体がデータサーバ１００から伝送端末１０ａｂ又は情報提供装置３０に送信される。
【０１２６】
閲覧部２７は、スクリーンショットのファイル名から、さらに詳細に閲覧するスクリーンショットを指定することが可能である。
・端末ＩＤを特定の記号(例えばスペースなど)で区切り、複数の端末ＩＤを入力し、複数の端末から送信されたスクリーンショットを表示する
・日付（例えば2012/01/01など）を入力すると、指定された日付に作成されたスクリーンショットを表示する。または期間を指定して、その期間に該当するスクリーンショットを表示する
・端末ＩＤ、日付を組み合わせて入力し、該当するスクリーンショットを表示する
・また、端末ＩＤを入力せずにＯＫボタン４０３が押下された場合は、データサーバが共有フォルダ４４に記憶されている全てのスクリーンショットを表示する。
【０１２７】
〔レイアウトの評価〕
図１５（ｂ）のようにスクリーンショットの一覧を確認した利用者は、他の伝送端末の利用者がどのレイアウトに興味があったのかを知ることができる。例えば、伝送端末１０ａｂの利用者が、端末ＩＤとして「ＡＡＡ」を入力すれば、伝送端末１０ａａの利用者がスクリーンショットとして取り込んだ表示画面のレイアウトが分かる。図１５（ｂ）では左から、PandPモード、ＰＣ画面マルチビューモード、PinPモードが表示されている。
例えば、スクリーンショットのレイアウトとして「PinPモード」が多い場合、伝送端末１０ａａの利用者は「PinPモード」のレイアウトを好むことが分かる。このように、伝送端末１０ａｂの利用者は、会議に参加していた伝送端末１０の端末ＩＤを順番に入力するだけで、伝送端末１０の各利用者が好むレイアウトを把握できる。
【０１２８】
また、自動的に解析することも有効である。
図１６（a）は画像一覧画面の一例を示す図である。図１５（ｂ）に新たにレイアウト解析ボタンが表示されている。利用者がレイアウト解析ボタン４０４を押下すると、データサーバ１００に通知される。データサーバ１００の解析部４３は端末ＩＤ入力欄４０２に入力されている伝送端末のスクリーンショットのレイアウトを解析する。具体的には、レイアウト毎にスクリーンショットの数をカウントし、伝送端末１０又は情報提供装置３０に送信する。
【０１２９】
図１６（ｂ）は解析結果が表示された画像一覧画面の一例を示す図である。解析結果には「端末ＡＡＡ解析結果」として、以下のように表示されている。
【０１３０】
・PandPモード          …１
・ＰＣ画面マルチビューモード      …１
・PinPモード            …１
これにより、例えば、伝送端末１０ａｂの利用者は、伝送端末１０ａａの利用者が興味を持ったレイアウトを数値的に把握できる。
【０１３１】
図１７は、伝送端末１０ａｂが、伝送端末１０ａａが興味を持ったレイアウトを解析する手順を示すシーケンス図の一例を示す。
S1：利用者がスクリーンショット用のボタンＢ３３を押下することで、情報提供装置３０が伝送端末１０ａａにスクリーンショットの作成を要求する。
S2：伝送端末１０ａａの画面撮影部１８は表示画面のスクリーンショットを作成する。すなわち、実施例１にて説明したようにスクリーンショットを一時保存した後、保存の許可を問い合わせて必要であれば編集して画像保存用領域２３１に保存する。
S3：伝送端末１０ａａは利用者がボタンＢ３３を押下する毎に、スクリーンショットの作成を行う。
S4：利用者がスクリーンショットをデータサーバ１００に送信する操作を行うと（又は自動的に）、伝送端末１０ａａのＳＳ転送部２６はスクリーンショットをデータサーバ１００に送信する。
S5：データサーバ１００は共有フォルダ４４にスクリーンショットを保存する。
S6：次いで、例えば伝送端末１０ａｂから端末ＩＤ（ＡＡＡ）をデータサーバ１００に送信する。
S7：データサーバ１００の閲覧制御部４２は、ファイル名に端末ＩＤを含むスクリーンショットを共有フォルダ４４から読み出し、伝送端末１０ａｂに送信する。
S8：また、例えば伝送端末１０ａｂから端末ＩＤと解析要求が送信される。
S9：解析部４３は端末ＩＤをファイル名に含むスクリーンショットのレイアウトを解析する。
S10：データサーバ１００の送受信部４１は解析結果を伝送端末１０ａｂに送信する。
【０１３２】
以上説明したように、本実施例の伝送システム１は、スクリーンショットをデータサーバ１００に登録することで、他の伝送端末の利用者が興味をもったレイアウトを、自端末の利用者が後から確認することができる。
【符号の説明】
【０１３３】
１  伝送システム
２  通信ネットワーク
１０  伝送端末
１１  送受信部
１２  操作入力受付部
１３  ログイン要求部
１４  撮像部
１５  音入力部
１６  音出力部
１７  表示制御部
１８  画面撮影部
１９  記憶・読出処理部
２０  外部情報判定部
２１  ＮＦＣ送受信部
２２  ブルートゥース送受信部
２３  記憶部
２４  画像編集部
２５  問い合わせ部
１００  データサーバ
【先行技術文献】
【特許文献】
【０１３４】
【特許文献１】特開2012-085269号公報
【図１】
2014175956.tif 000003
【図２】
2014175956.tif 000004
【図３】
2014175956.tif 000005
【図４】
2014175956.tif 000006
【図５】
2014175956.tif 000007
【図６】
2014175956.tif 000008
【図７】
2014175956.tif 000009
【図８】
2014175956.tif 000010
【図９】
2014175956.tif 000011
【図１０】
2014175956.tif 000012
【図１１】
2014175956.tif 000013
【図１２】
2014175956.tif 000014
【図１３】
2014175956.tif 000015
【図１４】
2014175956.tif 000016
【図１５】
2014175956.tif 000017
【図１６】
2014175956.tif 000018
【図１７】
2014175956.tif 000019